(57)【要約】　　　（修正有）【課題】飲料用缶の頂部を衛生上好適に保ち、かつ同時に開缶のできるカバーならびに該カバーに適合した形状のプルトップタブを提供する。【解決手段】缶頂部に着脱自在のカバー４を被冠することにより、流通段階で衛生的な取り扱いが可能となり、開缶時にはカバーがプルトップ部のタブ２と結合されていることによりカバーを除去すると同時に開缶ができることを特徴とする。【選択図】　　図２
2004001883.tif 000002
【特許請求の範囲】
【請求項１】
頂部に、引っ張ることによって缶を開放できるタブをそなえ、これを覆うように着脱自在のカバーを有する飲料用の缶において、
前記タブと前記カバーとを一体に固定してなることを特徴とする飲料用缶の開放装置。
【請求項２】
頂部に、引っ張ることによって缶を開放できるタブをそなえ、これを覆うように着脱自在のカバーを有する飲料用の缶において、
前記タブと前記カバーとを格別に動作させ得るとともに、これら両者を必要に応じて一体に固定可能に設けたことを特徴とする飲料用缶の開放装置。
【発明の詳細な説明】
【０００１】
【発明の属する技術分野】
この発明は、コーヒー、酒類などの販売に資する缶の、飲用のための開口を形成する装置に関するものである。
【０００２】
【従来の技術】
この種の缶は、例えば自動販売機などから購入したものを、その場で、あるいはその後あまり時間が経たないうちに開缶して飲用に供する場合が多い。従ってこのような缶では、缶の上面に、開口位置を定める浅い切欠溝を設けるとともに、これと関連動作するタブを設け、該タブを引っ張ったり、回動したりすることによって前記切欠溝に沿って開口を形成するように構成したもの（プルトップという）が、缶切など特段の器具を必要としないので、広く実用されており、内部の飲料を飲む場合でも、他の容器に飲料を移すこと無くそのまま飲むことが多いことは周知のとおりである。
【０００３】
このような缶の構成、その流通の実態をみると、缶を完成し、これに飲料を充填して出荷するまでは比較的設備の整った場所で量産方式で行われるが、市場にでてからは、卸、小売、あるいは自動販売機への収納などの各段階では、ほとんど手作業で行われているのが普通である。
【０００４】
換言すると、流通時以降は多数の人間があまり衛生面に注意することなく缶を取り扱い、最終消費者はそのままの状態で開缶して飲むことになり、このような現状は衛生上好ましいものではないと言える。
【０００５】
このような事態に対する考慮からか、完成した缶の頂部に着脱自在のプラスチック製などのカバーを付加したものも市場に存在するが、実用上あまり効果が認められないためか、広くは利用されていないように見える。また、単にカバーを設けるだけでは、飲用のためにはカバーを除去してから、さらに開缶動作をする必要があるために手間がかかることになり好ましくない。
【０００６】
【発明が解決しようとする課題】
本発明はこのような事態に対処すべくなされたものであって、飲用の缶の頂面に着脱自在のカバーを設けるとともに、このカバーを開缶用のタブと連結して１動作でカバーの除去と、開缶とを遂行できるようにすることによって衛生面からも好適な開缶装置を提供することを目的とするものである。
【０００７】
【課題を解決する手段】
上記の目的を達成するため、本発明は、頂部に、引っ張ることによって缶を開放できるタブをそなえ、これを覆うように着脱自在のカバーを有する飲料用の缶において、前記タブと前記カバーとを一体に固定してなることを特徴とする飲料用缶の開放装置（１）、又は、
頂部に、引っ張ることによって缶を開放できるタブをそなえ、これを覆うように着脱自在のカバーを有する飲料用の缶において、前記タブと前記カバーとを格別に動作させ得るとともに、これら両者を必要に応じて一体に固定可能に設けたことを特徴とする飲料用缶の開放装置（２）である。
【０００８】
【発明の実施の形態】
「図１」は本発明の実施態様を示す開缶装置の要部の斜視図である。図は本装置を取着する飲料用の缶頂面を示すもので、該頂面のほぼ中央に頂面に固定したピン１が設けてあり、これに開缶用のタブ２が配設してあって、このタブが頂面上で缶の半径方向に延在して、缶側周辺のリム３近傍に達している。
【０００９】
従来からよく知られているプルトップタイプの装置ては、このようなタプの外端部を上方に回動させて他方の端部下降させ、これによって缶の頂面に予め形成してある切溝３１に沿って缶を切断して飲用の開口を形成するような構成となっているのが普通である。
【００１０】
本発明においても、開口手順は基本的に上記のものと変わりはない。本発明にあっては、缶の頂面にこれを覆うように、適度の硬度，弾性を有するプラスチック製のカバー（不図示）を着脱自在に配設するものとする。
【００１１】
「図２」は「図１」のＡ−Ａ線に沿って示した缶の頂部の要部側断面図であって、缶の頂面は蓋体３０によって密封されており、その周縁にはリム３が形成されている。このリムを囲繞するようにカバー４が着脱自在に披冠してある。
【００１２】
前記缶の頂面には、その中心近傍には、ピン１が固着してあり、これにタブ２が固定されている。該タブ２の外側端部は適宜の長さ（半径方向）にわたって上方に偏倚されており（図２符号２１）、図示のようにこの偏倚部分が前記カバー４の内面に近接するようになっている。
【００１３】
前記カバー４の内面と前記タブ２の外側偏倚端部の上面は近接しており、この部分が接着剤５によって両者を一体的に固定しているる．
【００１４】
このような構成となっているから、カバー４を缶頂面に装着し、該カバーと戸前記タブ２の前記偏倚端部２１とを接着した状態で販売に供すると、購入者がカバー４を剥ぎ取ると（カバーを抜脱する位置はタブ２がある位置が好適である）、カバー４とともにタブ２もに上方に移動して、以後、周知のプルトッフプ缶と同様に開缶することができる。
【００１５】
「図３」、「図４」はカバー４とタブ２とを結合する他の実施態様を示すものである。「図１」、「図２」と同様の形状のタブ２を用いるものとし、カバー４を缶頂にかぶせたとき、該カバー内面の、タブ２の外端の偏倚部２１に対向する部分に符号４１で示すようなポケットを設けるものとする。
【００１６】
該ポケット４１は、「図３」、とくに「図４」及び「図５」に示すように、タブ２の偏倚部２１に対向する位置に設けてあり、その底面とカバー４下面との間に前記偏倚部２１が進入できるような間隔を存して、タブの外側端側と一方の端部がカバー４の下面に固定されている。
【００１７】
このように構成されているから、缶の頂部にカバー４をかぶせた状態で販売した場合、購入者はこのカバーを適宜回動させて前記タブの偏倚部２１を上述のポケッツト４１内に進入させ、ついで、カバー４を抜脱することによって、タブ２をカバー４とともに上方に動かして周知の開缶方式と同様の仕方で開放することが可能である。
【００１８】
「図６」、「図７」、「図８」はタブとカバーとの結合手段を示す更に他の実施態様であって、「図６」はタブの全体構成を、「図７」はタブの外端部を、「図８」はカバーの内側面をそれぞれ示す要部の斜視図である。
【００１９】
「図６」に示すように、この装置ではタブ２の外端に缶のリムとほぼ同じ高さの立ち上がり部２２が形成してある。該立ち上がり部２２は同図に示すように、缶体の半径方向内方に凸に状態に湾曲しており、その凸部の中央、即ち最高位置に係合用の孔２３が設けてある。
【００２０】
「図８」は缶に着脱自在のカバーの内側の要部を示すもので、適宜の弾性と強度を具有するプラスチックからなっている。カバー４の内面適所には、突起４７を有する突部４６が形成してある。
【００２１】
前記タブ２の立ち上がり部２２の中央部、孔２３のある位置からカバー４のリム３内面までの距離Ｄ（「図７」参照）が、カバー４の内面の前記突部４６からリム３内面までの距離ｄよりも大きくなっている（即、Ｄ＞ｄ）。
【００２２】
このように構成してあるから、缶頂部にカバー４をかぶせた状態で購入者がこれを適宜回動して前記突部４６を前記立ち上がり部２２の位置に持ち来たすと、前述のＤ＞ｄの関係から前記突部４６の突起４７が前記立ち上がり部２２の中途位置に衝突し、さらにカバーを回動すれば、カバー４と立ち上がり部２２双方の弾性によって突起４７は立ち上がり部２２の表面を滑動し、ついで立ち上がり部２２の孔２３に突起４７に係合してカバー４とタブ２とが一体的に結合される。
【００２３】
以後、前述の実施例装置の場合と同様に、カバー４を缶から抜脱すれば（カバー４とタブ２をいっしょに把持するのがよい）、前述の実施例の場合と同様に缶を開口することができる。
【００２４】
タブ２の外端の立ち上がり部は「図６」、「図７」に示すのとは反対に、「図９」に示すように、半径方向外方に凸に構成し、カバー４の、リム３をまたいでその内側のリムに当接する面に内方に突出すると突起を設けてタブに設けた孔に該突起を係合するようにしても同様の作用を得られる。
【００２５】
この種の缶に設ける着脱自在のカバーとしては「図１０」に示すように、カバー周縁部分で缶のリム部を挟持するように構成したものが実用されている。
このように構成することによって、比較的薄肉の材料を用いて把持強度の大きいカバーを得ることができるると考えられる。
【００２６】
このような構成のカバーにおいても、簡単な設計変更によって前述のカバーとタブとを必要に応じて一体的に結合する手段を適用できることは容易に理解できるところであろう。
【００２７】
例えば、「図１」に示す装置の場合には、偏倚部２１を設けることなく、タブを全長にわたって平坦に形成したり、「図６」に示す装置の場合には、立ち上がり部２２を排してタブの平坦部分に「図６」の立ち上がり部と同様の構成をタブの延長上に形成し、この部分に設ける孔を形成するとともに、カバーの内面の該孔に対向する位置に係合突起をもうける、などの構成の変形が考えられる。
【００２８】
なお、「図６」のように、タブに形成した孔とカバーに設けた突起とを係止するような構成を「図１０」のようなカバーの場合に適用する場合には、「図８」における突起４７に相当する突起４８をカバー４に直接設けて、その先端部の径を基部よりも適宜大きくするとともに、タブ側の孔２４を「図１１」に示すようにカバーの回動方向に孔巾を小さくし、カバーを缶に装着した状態で回動してタブ２の位置に持ち来して前記突起４８の先端大径部を孔２４の大径部に挿入した後、さらにカバーを回動して突起４８の基部小径部を孔２４の巾狭部位に持ち来して、カバー４とタブ２とを相互に固着し、以後、周知のプルトップ方式のように開缶する。
【発明の効果】
以上説明したように、本発明によれば、飲料を収納し、プルトップ方式で開缶擦る缶にカバーを装着するとともに、該カバーと開缶用のタブとを必要に応じて結合して、一挙動でカバーを除去するとともに開缶用のタブを操作できるから、衛生的であるとともに操作が簡単になる効果があるる
【図面の簡単な説明】
【図１】本発明の実施例を示す缶の要部の斜視図
【図２】同上要部の側断面図
【図３】他の実施例を示すカバーの側断面図
【図４】同上要部の拡大側面図
【図５】同上拡大平面図
【図６】本発明のさらに他の実施例を示す要部斜視図
【図７】同上一部の斜視図
【図８】同上に使用するオバーの要部内面の斜視図
【図９】同上の他の実施態様を示す要部平面図
【図１０】本発明のさらに他の実施態様を示す要部の側断面図
【図１１】同上のタブの構成を示す一部の平面図
【符号の説明】
１　　　　　ピン、
２　　　　　タブ、
３　　　　　リム、
４　　　　　カバー、
２１　　　　偏倚部
２２　　　　立ち上がり部
２３　　　　孔
４１　　　　ポケット
４６　　　　突部
４７、４８　突起
【図１】
2004001883.tif 000003
【図２】
2004001883.tif 000004
【図３】
2004001883.tif 000005
【図４】
2004001883.tif 000006
【図５】
2004001883.tif 000007
【図６】
2004001883.tif 000008
【図７】
2004001883.tif 000009
【図８】
2004001883.tif 000010
【図９】
2004001883.tif 000011
【図１０】
2004001883.tif 000012
【図１１】
2004001883.tif 000013